(57)【要約】      （修正有）【課題】合理的な構成により、新たなる「変換番号」を任意に設定することができること。隣同士の番号の組み合わせも可能であること。【解決手段】駆動側部材３１は、外壁面にダイヤル番号変換用の印Ｍ１が付されていると共にダイヤル番号変換用の第１係合部３５を有する第１ロータ３２と、前記第１係合部３５と係脱可能な第１被係合部４５を有するダイヤル部材３３とから成り、一方、回転子側部材５１は、駆動側部材３１の嵌合孔３７、３８、３９に嵌入すると共に、ベース部材に設けられた中心軸４７に回転自在に外嵌合する二物品であり、これらの二物品は、ダイヤル番号変換用の第２係合部５８を有する第２ロータ５２と、外壁面にダイヤル番号変換用の印Ｍ２を有すると共に前記第２係合部５８と係脱可能な第２被係合部５９を有する摘み回転子５３とから成ることを特徴とする。【選択図】図７
2006274691.tif 000002
【特許請求の範囲】
【請求項１】
駆動側部材と該駆動側部材によって回転される回転子側部材を備え、駆動側部材の回転操作により、回転子側部材及び駆動側部材の各切欠部の位置が対応した場合にのみロック解除の状態となるダイヤル錠に於いて、駆動側部材は、外壁面にダイヤル番号変換用の印が付されていると共にダイヤル番号変換用の第１係合部を有する第１ロータと、前記第１係合部と係脱可能な第１被係合部を有するダイヤル部材とから成り、一方、回転子側部材は、駆動側部材の嵌合孔に嵌入すると共に、ベース部材に設けられた中心軸に回転自在に外嵌合する二物品であり、これらの二物品は、ダイヤル番号変換用の第２係合部を有する第２ロータと、外壁面にダイヤル番号変換用の印を有すると共に前記第２係合部と係脱可能な第２被係合部を有する摘み回転子とから成ることを特徴とするダイヤル錠。
【請求項２】
請求項１に於いて、ダイヤル番号変換時、ダイヤル部材を手前側に引いて係合関係を解消させ、かつ、ダイヤル部材を任意の方向に回すことを特徴とするダイヤル錠。
【請求項３】
請求項１に於いて、ダイヤル番号変換時、摘み部分がダイヤル部材の外壁面よりも手前側に突出している摘み回転子を中心軸に巻装したバネ部材のバネ力に抗して引いて係合関係を解消させ、かつ、摘み回転子を任意の方向に回すことを特徴とするダイヤル錠。
【請求項４】
請求項１又は請求項３に於いて、摘み回転子の摘み部分は、駆動側部材の嵌合孔に嵌入する部分よりも大径に形成され、かつ、該摘み部分の周端面はダイヤル部材の外壁面に当接していることを特徴とするダイヤル錠。
【請求項５】
請求項１に於いて、回転子側部材の二物品はそれぞれ筒状体であり、その摘み回転子は、第２ロータに一体的に外嵌合していると共に、第１ロータの駆動爪と係合可能な従動爪を有していることを特徴とするダイヤル錠。
【請求項６】
請求項１に於いて、ダイヤル錠は、クレセント錠の開閉可能なケースカバーを有するベース部材内に組み込まれていることを特徴とするダイヤル錠。
【発明の詳細な説明】
【技術分野】
【０００１】
本発明は、ダイヤル錠に関する。このダイヤル錠は、窓用クレセント錠のレバーハンドルのロック、郵便箱の蓋体のロック、ロッカーの扉のロック等に適用することができる。
【背景技術】
【０００２】
特許文献１には、回転子を回転させる駆動爪を有する摘み操作板の外周壁に環状溝を形成し、該環状溝内に周方向に文字、記号、図形等のダイヤル標識が付された識別帯状体を取り外し自在に嵌め込む構成のダイヤル部材が開示されている。このダイヤル部材は、出願人が提案したものである。
【０００３】
一方、特許文献２には、ダイヤル部材を構成する環状リングを透明体に形成し、「０」〜「９」のダイヤル文字をそれぞれ個別的に有する複数枚の文字表示片を、前記環状リングの周方向にそれぞれ形成された収納凹所に差し込むダイヤル表示具が開示されている。
上記の各先行技術は、一度設定したダイヤル番号、又はダイヤル表示の配列を自由に可変することができるという利点がある。しかしながら、これらの先行技術は、いずれも番号変換用の識別帯状体等が必要である点、識別帯状体等用の環状凹所を精度良く摘み操作板の外周壁に形成しなければならない点、ダイヤル番号変換時、識別帯状体等を取り出した後に、識別帯状体等の挿入位置を変更する必要がある点がそれぞれ問題点である。
【特許文献１】実開平７−２９２３６号公報
【特許文献２】実開昭５７−１６７１６５号公報
【発明の開示】
【発明が解決しようとする課題】
【０００４】
本発明の主たる目的は、合理的な組み合わせにより、新たなる「変換番号」を任意に設定することができることである。また、「変換番号」を数多く（例えば隣同士の番号の組み合わせも含む）設定することができることである。本発明の従たる目的は、簡単な操作により、短時間で変換番号を設定すること、ダイヤル部材が回転子側部材から脱落しないことなどである。
【課題を解決するための手段】
【０００５】
本発明のダイヤル錠は、駆動側部材３１と該駆動側部材によって回転される回転子側部材５１を備え、駆動側部材の回転操作により、回転子側部材及び駆動側部材の各切欠部３２ｂ，５２ｂの位置が対応した場合にのみロック解除の状態となるダイヤル錠Ｙに於いて、駆動側部材３１は、外壁面にダイヤル番号変換用の印Ｍ１が付されていると共にダイヤル番号変換用の第１係合部３５を有する第１ロータ３２と、前記第１係合部と係脱可能な第１被係合部４５を有するダイヤル部材３３とから成り、一方、回転子側部材５１は、駆動側部材の嵌合孔３７，３８，３９に嵌入すると共に、ベース部材Ｂに設けられた中心軸４７に回転自在に外嵌合する二物品であり、これらの二物品は、ダイヤル番号変換用の第２係合部５８を有する第２ロータ５２と、外壁面にダイヤル番号変換用の印Ｍ２を有すると共に前記第２係合部と係脱可能な第２被係合部５９を有する摘み回転子５３とから成ることを特徴とする。独立項（本願発明）に限定可能なその他特徴は、従属項に記載されている。
【発明の効果】
【０００６】
（１）合理的な構成により、新たなる「変換番号」を任意に設定することができる。
（２）駆動側部材のダイヤル部材及び回転子側部材の摘み回転子の両者を組み合わせて変換するから、「変換番号」を数多く設定することができる。例えば「２」と「４」の如く、数字を一つ飛ばさなくても、「２」と「３」の如く、隣同士の番号の組み合わせも可能である。
（３）請求項２，請求項３に記載の発明は、ダイヤル部材及び摘み回転子の両者をそれぞれ手前側に引いて各係合部と各被係合部との係合関係をそれぞれ解消させ、かつ、それぞれ任意の方向に回すだけで良いから、操作が簡単である。したがって、短時間で変換番号を設定するができる。
（４）請求項４に記載の発明は、摘み部の周端面がダイヤル部材の外壁面に当接していることから、ダイヤル部材が回転子側部材から脱落しない。
（５）請求項５に記載の発明は、回転子側部材の従動爪を第１ロータの駆動爪に合理的に係脱させることができる。
（６）請求項６に記載の発明は、防犯性を持たせて、例えばクレセント錠のケース本体内に組込むことができる。
【発明を実施するための最良の形態】
【０００７】
図１乃至図１１は、本発明を窓用クレセント錠Ｘに適用した一実施例を示す各説明図である。
【０００８】
（１）実施の環境  
本発明のダイヤル錠Ｙは、主に窓用クレセント錠のハンドルやケース本体内に組込み、クレセント錠のレバーハンドルのロックに利用することが可能なので、クレセント錠Ｘを最適例として説明する。
【０００９】
図１乃至図３は本発明の実施の環境を示す各概略説明図である。窓用クレセント錠Ｘは、普通一般に建具のサッシ型障子に取り付けられている。図１を基準にすると、１は外障子（通称、戸）、２は外障子の外側サッシ（通称、縦框）、３は内障子、４は内障子の内側サッシである。クレセント錠Ｘは、内障子３の内側サッシ４に図示しない固着手段を介して固定的に取り付け、一方、ダイヤル錠Ｙは、ケース本体と蓋体内に組み込まれて、その駆動側部材のダイヤル部材の一部が露出している。
【００１０】
クレセント錠Ｘは、内側サッシ４の側壁に固定されるケース本体５と、このケース本体５に回動可能に装着され、かつ、施錠位置へと回転すると外側サッシ２の側壁に固定されたクレセント受け６に係合するスプーン（掛け部）７を有する操作ハンドル８と、この操作ハンドル８を施錠位置へと回転すると、該操作ハンドル８を自動的にロック状態にする回転ロック機構１０を備えている。
【００１１】
そして、ケース本体５の下端部側に、ダイヤル錠Ｙと直接関係するロック手段１３が組み込まれている。
【００１２】
（２）回転ロック機構１０とロック手段１３
窓用クレセント錠Ｘの具体的構成は、発明の限定要件ではない。しかし、実施の環境との関係で、便宜上、クレセント錠Ｘの回転ロック機構１０とロック手段１３を簡単に説明する。
【００１３】
回転ロック機構１０は、ケース本体５内に組み込まれた付勢手段１１と、該付勢手段のバネ力により摘み部分１２ｄに連設するケース本体内のストッパー部１２ａが前記スプーン７の弧状周壁７ａに常時圧接する摘み操作片１２とを含み、前記操作ハンドル８をハンドル施錠位置まで回転すると、摘み操作片１２が付勢手段１１のバネ力によりそのストッパー部１２ａがスプーン７の端面７ｂと対向する位置まで移動して該操作ハンドルを自動施錠する。なお、摘み操作片１２の符号１２ｃは、操作ハンドル８の回転中にスプーン７の弧状周壁７ａに圧接状態で摺接するスライド面である。
【００１４】
一方、摘み操作片１２用ロック手段１３は、摘み操作片１２と、ダイヤル錠Ｙの駆動側部材３１の第１ロータ３２と、回転子側部材５１の第２ロータ５２とそれぞれ関連付けられて配設されている。
【００１５】
ロック手段１３は、図５で示すように、摘み操作片１２の係合部１２ｂに係合する指状のロッキング片１４と、このロッキング片１４を制御するロック制御片１５と、これらをそれぞれ付勢する第１及び第２のバネ１６，１７とを含んでいる。
【００１６】
人差し指状のロッキング片１４は摘み操作片１２の係合部１２ｂに係脱するように、一方、親指状の一組のロック制御片３１は、ダイヤル錠Ｙの第１ロータ３２並びに第２ロータ５２の各周壁部にそれぞれ形成した逃がし用凹所にそれぞれ係脱するようにダイヤル錠Ｙの付近に横設軸架された共通軸１８に軸支されている。
【００１７】
ロッキング片１４用の第１バネ１６は、その一端部はロッキング片１４に支持されていると共に、その他端部はロック制御片１５に適宜に支持されている。この第１バネ１６のバネ力は微妙に設定されており、所定の位置まで外拡すると、それ以上外方向へはバネ力は作用しない反面、内側に変位すると外方向に反作用する。
【００１８】
一方、ロック制御片１５用の第２バネ１７は、下方のケース取付け部１９に連設形成したバネ収納部２０内に組み込まれ、ロック制御片１５の突起状係合部１５ａが、前述した第１ロータ並びに第２ロータの逃がし用凹所に係合するように常時付勢する。なお、本実施例のロック手段１３は、主な部材が「二物品１４，１５」で構成されているが、その理由は、例えばダイヤル錠Ｙの暗証番号が一致し、ダイヤル錠Ｙの各逃がし用凹所にロック制御片１５の突起状係合部１５ａが係合しても、該ロック制御片１５はロッキング片１４との関係なく係合方向に回転できるようにするためである。
【００１９】
したがって、ロック制御片１５は、第２バネ１７のバネ力により、又はバネ力に抗して独立・別個にダイヤル錠Ｙの第１ロータ３２並びに第２ロータ５２に対して係脱する。クレセント錠Ｘのケース本体５の一部及び該ケース本体５の裏側開口を閉鎖する蓋体２１の具体的構成については説明を割愛する。
【００２０】
（３）ダイヤル錠Ｙ−本発明
まず、本発明のダイヤル錠Ｙは、図６で示すように、ベース部材Ｂに取り付けられる。ベース部材Ｂは、本実施例では、開閉可能なケースカバーを備えたケース本体５の一端部（下端部）５ａ及び蓋体２１が相当する。また、図３，図５及び図６で示すように、ダイヤル錠Ｙは、支持部２３，２４を有するベース部材Ｂ内に組み込まれていると共に、ケース本体５の一端部５ａに形成した窓部２２から駆動側部材のダイヤル部材３３の一部が露出している（図４参照）。
【００２１】
次に、ダイヤル錠Ｙは、普通一般のダイヤル錠のように駆動側部材３１と該駆動側部材によって回転される回転子側部材５１を備えている。また、駆動側部材３１の回転操作により、回転子側部材５１及び駆動側部材３１の各切欠部の位置が対応した場合にのみロック解除の状態となる。
【００２２】
したがって、駆動側部材は、一般に「ツク」と称されている係合部を有し、一方、回転子側部材はツク（係合片や突起部）と当接する「被係合部」を有している。そして、ほとんどの当業者に於いて、前記「ツク」や「被係合部」は、回転子側部材５１及び駆動側部材３１の任意の箇所にそれぞれ形成することが認識されている。
【００２３】
本発明のダイヤル錠Ｙの構成は、上記のような当業者の認識を前提として新規な構成を採用している。そこで、特に、図６乃至図１０を参照にして駆動側部材３１と回転子側部材５１を説明する。
【００２４】
（４）駆動側部材３１
駆動側部材３１は、筒状の第１ロータ３２と筒状のダイヤル部材３３とから成り、さらに、前記ダイヤル部材３３は、図７で示すように、ダイヤル本体３３ａと、該ダイヤル本体３３ａに嵌合するキャップ状のダイヤルカバー３３ｂとから構成されている。二物品で構成されたダイヤル部材３３は、図６で示すように第１ロータ３２に外嵌合し、ダイヤル番号変換時以外は常時一体的に結合している。
【００２５】
図６から明らかなように、ケース本体５の一端部５ａの凹所には、垂直の環状部分２３及び該環状部分の縁部から外方向に環状に突出する周壁部分２４が設けられ、これらの環状部分２３や周壁部分２４が駆動側部材３１に対する支持部ないしガイド部の機能を果たしている。
【００２６】
しかして、本実施例では、前記環状部分２３の縁部の内側には断面段差状の係止部２５が形成され、該係止部２５に第１ロータ３２の内端部寄りの部位に周設された鍔部分３４が係合する。第１ロータ３２はケース本体５の係止部２５に係止された状態で前記周壁部分２４内に回転自在に嵌合している。
【００２７】
第１ロータ３２は、鍔部分３４を基準として外端部にダイヤル番号変換用の第１係合部３５を有している。この第１係合部３５は、単数又は複数の係合面を有していれば十分であるが、本実施例では、例えば外周面に８個の係合面３５ａが形成された八角形の係合部となっている。そして、多角形の第１係合部３５と鍔部分３４との外周壁には、断面段差状の受部分３６が周設されている。
【００２８】
ところで、本実施例では、第１係合部３５の外壁面にダイヤル番号変換用の印（例えば朱印）Ｍ１が付されている。また、第１ロータ３２は筒状であることから、中心部に嵌合孔３７を有している。
【００２９】
一方、ダイヤル部材３３のダイヤル本体３３ａ及びダイヤルカバー３３ｂは、共に環状体に形成されている。したがって、ダイヤル本体３３ａ及びダイヤルカバー３３ｂも中心部にそれぞれ嵌合孔３８，３９を有している。
【００３０】
ところで、ダイヤル部材３３を本実施例のように「二物品」に構成することは、本発明の本質的事項ではない。単数又は複数個の部材で構成されたダイヤル部材には、望ましくは、ダイヤル部材３３の外側から見て、第１ロータ３２の印Ｍ１が見える複数個の切欠部，窓部等を周方向に変換標識と関連付けて形成する。ここで、「ダイヤル部材３３の外側」とは、ベース部材Ｂを構成する取り外し可能な或いは開閉可能なケースカバー２６をケース本体５から取り外し（図７参照）、番号変換する者からダイヤル部材３３の環状カバー部分を見た場合を想定している。本実施例では、ダイヤル部材３３の材質、ダイヤル数字を有するシールの貼付、ダイヤル部材の指での操作性等の理由から、ダイヤル部材３３を「二物品」に構成している。
【００３１】
しかして、ダイヤル本体３３ａの外周側面に操作者用のダイヤル数字（識別標識）４０を直接又は間接的に設け、一方、環状の外壁面にダイヤル番号変換用のダイヤル数字（変換標識）４１を直接又は間接的に設けている。
【００３２】
一方、ダイヤルカバー３３ｂの環状カバー部分には、周方向に所定間隔離間してダイヤル本体３３ａの変換標識４１が見えるように複数個（例えば８個）の小窓部４３を形成すると共に、環状カバー部分から周方向に所定間隔離間して延びた識別標識４０用の複数本の弾性区画爪片４４が設けられている。
【００３３】
上記構成のダイヤル部材３３は、本実施例では、ダイヤル本体３３ａの内周側面に第１ロータ３２の第１係合部３５と係脱可能な多角形の第１被係合部４５が形成され、図６で示すように、常時第１ロータ３２の第１係合部３５とダイヤル本体３３ａの第１被係合部４５とが係合した状態で、かつ、ケース５の周壁部分２４に嵌合した状態でケース５の凹所４６内に組み込まれている。なお、ダイヤル本体３３ａの第１被係合部４５は、少なくとも単数に対する複数又は複数に対する単数でも良いが、本実施例では、第１被係合部４５の外壁面が「八角形」であることから、これに対応して「八角形」の内壁面となっている。
【００３４】
（５）回転子側部材５１と駆動側部材３１等の関係
図６，図９などで示すように、回転子側部材５１は、駆動側部材３１の嵌合孔３７，３８，３９に嵌入すると共に、ベース部材Ｂの蓋板２１に固定的に設けられた中心軸４７に回転自在に外嵌合する筒状の二物品であり、これらの二物品は、ダイヤル番号変換用の第２係合部５８を有する第２ロータ５２と、外壁面にダイヤル番号変換用の印Ｍ２を有すると共に、前記第２係合部５８と係脱可能な第２被係合部５９を有する摘み回転子５３とから成る。
【００３５】
駆動側部材３１と回転子側部材５１の係合関係については、当業者の認識論として説明したとおりである。したがって、駆動側部材３１は「ツク」と称されている係合部３２ａを有し、一方、回転子側部材５１はツク（係合片や突起部）と当接する「被係合部５３ａ」を有している。本実施例では、駆動側部材３１のツク３２ａは、第１ロータの内周壁に突出形成された係合爪（駆動爪）であり、一方、回転子側部材５１の被係合部５３ａは、摘み回転子５３の嵌合内端面からベース部材Ｂの蓋体２１側に延びた小突片（従動爪）である。これらの係合関係は任意に設計変更可能である。
【００３６】
また、駆動側部材３１及び回転子側部材５１とロック手段１３のロック制御片１５との係合関係についても当業者の認識論として説明したとおり、駆動側部材３１の回転操作により、回転子側部材５１及び駆動側部材３１の各切欠部３２ｂ，５２ｂの位置が対応した場合にのみロック解除の状態となる。本実施例では、回転子側部材５１の切欠部５２ｂは第２ロータ５２の周壁部に凹所状に形成されており、一方、駆動側部材３１の切欠部３２ｂの内端部（蓋体２１側）の周壁部に凹所状に形成されている。これらの係合関係も任意に設計変更可能である。
【００３７】
（６）第２ロータ５２と摘み回転子５３
まず、第２ロータ５２は、図６で示すように「断面横型Ｔ字状」に形成され、ベース部材Ｂの蓋体２１の内壁面と摺接する大径部分５４の内端面には軸用中心孔と連通する凹所５５が形成されている。この凹所５５内に中心軸４７用の抜け止め部材（例えばワッシャ）５６が収納されている。前記中心軸４７は大径部分５４に連設する中空嵌合部（小径の突起部分）５７を貫通し、かつ、ベース部材Ｂの支持部２３，２４，付勢バネ４８及びベース部材Ｂの蓋体２１を介して該ベース部材Ｂ内に固定的に内装されている。
【００３８】
しかして、前記中空嵌合部５７の外端部には、第１ロータ３２と同様にダイヤル番号変換用の第２係合部５８が設けられている。この第２係合部５８は、単数又は複数の係合面を有していれば十分であるが、本実施例では、例えば外周面に８個の係合面５８ａが形成された八角形の係合部となっている。
【００３９】
次に、摘み回転子５３は、外壁面にダイヤル番号変換用の印Ｍ２を有すると共に、第２ロータ５２の前記第２係合部５８と係脱可能な第２被係合部５９を有する。本実施例では、前記印Ｍ２は、摘み回転子５３の外端部の環状壁面の適宜箇所に小さく付された「○印」である。また、前記第２被係合部５９は、ダイヤル部材本体３３ａと同様に摘み回転子５３の内端部の内周壁に形成されている。
【００４０】
そして、摘み回転子５３の第２被係合部５９は、本実施例では、第２ロータ５２の第２係合部５８が同じ多角形であることから、図６で示すように、常時第２ロータ５２の第２係合部５８と係合した状態で、かつ、ケース５の周壁部分２４に嵌合した状態で組み込まれている。
【００４１】
なお、摘み回転子５３の第２被係合部５９は、少なくとも単数に対する複数又は複数に対する単数でも良いが、本実施例では、第２係合部５８の係合面５８ａの外壁面が「八角形」であることから、これに対応して「八角形」の内壁面となっている。
【００４２】
ところで、摘み回転子５３の摘み部分５３ｂは、駆動側部材３１の嵌合孔に嵌入する部分よりも若干大径に形成され、かつ、該摘み部分５３ｂの周端面はダイヤル部材３３の外壁面に当接している（図６参照）。また、少なくとも摘み部分５３ｂには中心軸４７の外端部に巻装された付勢バネ４８用の収納部６０が形成されている。そして、収納部６０の内壁面は、付勢バネ４８の内端部を受けることができるように断面段差状に形成されていることから、第２ロータ５２の第２係合部５８に一体的に外嵌合する摘み回転子５３は、第２ロータ５２に係合する方向に常時付勢されている。
【００４３】
（７）ダイヤル番号の変換
図１０及び図１１を参照にしてダイヤル番号を変換する一例を説明する。本実施例のダイヤル錠Ｙは、窓用クレセント錠Ｘのベース部材Ｂ内に組み込まれているので、ダイヤル番号を変換する場合には、ベース部材Ｂのケースカバー２６を適宜に取り外す。そうすると、図１０で示すように正面にダイヤル錠Ｙの駆動部材３１側の印Ｍ１と回転子側部材５１の印Ｍ２が同時に見える。
【００４４】
図１０に於いて、左側の図は変換前の開錠可能な組み合わせ番号であり、右側の図は駆動部材３１側の印Ｍ１を新しい番号に変換する場合を示す。また図１１は変換後の開錠可能な組み合わせ番号を示す。したがって、図１０及び図１１は、「７と４」の組み合わせを「１と２」へと変換する場合を示している。
【００４５】
上記に於いて、ダイヤル番号変換時、まず、ダイヤル部材３３を手前側に引いて第１係合部３５と被係合部４５との係合関係を解消させ、かつ、ダイヤル部材３３を摘んだまま任意の方向（矢印で示す時計方向）に回す。図１０の右側の図では、ダイヤル部材３３と摘み回転子５３が別個独立の部材であるにもかかわらず、ダイヤル部材３３を手前側に引くと摘み回転子５３も一緒に手前側に出て来てくるし、また、ダイヤル部材３３を時計方向に回すと、摘み回転子５３も一緒に回転することを示しているが、これは、本実施例では、摘み回転子５３の摘み部分５３ｂがダイヤル部材３３の表面に係合していると共に、摘み回転子５３が付勢バネ４８のバネ力により蓋体２１の方向に付勢されているのに対して、ダイヤル部材３３を手前側に引いて回すからである。したがって、実施例如何によっては、ダイヤル部材３３のみが単独で回転する。
【００４６】
次に、駆動部材３１側の新しい番号「１」を印Ｍ１に設定したならば、ダイヤル部材３３を元の位置に戻す。そして、摘み回転子５３の突出している摘み部分５３ｂを指で摘んで、その印Ｍ２をダイヤル部材３３の新しい数字「２」に合わせる。このように、本実施例では、摘み回転子５３のダイヤル番号変換時、ダイヤル部材３３の外壁面よりも手前側に突出している摘み回転子５３を中心軸４７に巻装したバネ部材４８のバネ力に抗して引いて第２係合部５８と第２被係合部５９との係合関係を解消させ、かつ、摘み回転子５３を任意の方向に回す。このように、「引く行為」と「回す行為」により、新しい番号を任意に設定することができる。
【実施例】
【００４７】
本実施例のダイヤル錠Ｙは、窓用クレセントＸのケース内５に組み込んでいるが、設計如何によっては、ケース内５ではなく、操作ハンドル８の基端部に組み込むことも可能である。この場合操作ハンドル８の基端部がベース部材となる。また、郵便箱の開閉蓋にダイヤル錠Ｙを取り付けた場合には、開閉蓋がベース部材となる。
【図面の簡単な説明】
【００４８】
図１乃至図１１は本発明の一実施例を示す各説明図。
【図１】実施の環境を示す説明図。
【図２】室内側から外方向に見た場合の説明図。
【図３】クレセント錠及びダイヤル錠Ｙの概略断面説明図（クレセント錠の一部を省略）。
【図４】図２を基準にした場合の左側面からの説明図（内部のダイヤル部材が正面に見える）。
【図５】クレセント錠を裏側から見た施錠時（ハンドル施錠及びダイヤル施錠）の概略説明図。
【図６】ベース部材に組み込まれた本発明の概略断面説明図。
【図７】主要部の一例を示す分解斜視図。
【図８】駆動側部材の説明図。
【図９】回転子側部材の説明図。
【図１０】駆動側部材の新しい番号「１」を設定する場合の概略説明図。
【図１１】回転子側部材の新しい番号「２」を設定する場合の概略説明図。
【符号の説明】
【００４９】
Ｘ…窓用クレセント錠、Ｙ…ダイヤル錠、１…外障子、２…外側サッシ、３…内障子、４…内側サッシ、Ｂ…ベース部材、５…ベース部材のケース本体、６…クレセント受け、７…スプーン、７ａ…スプーンの弧状周壁、７ｂ…スプーンの端面、８…操作ハンドル、１０…回転ロック機構、１１…付勢手段、１２…摘み操作片、１２ａ…ストッパー部、１２ｂ…係合部、１２ｃ…スライド面、１２ｄ…耳状の摘み部分、１３…ロック手段、１４…ロッキング片、１５…ロック制御片、１５ａ…突起状係合部、１６…第１バネ、１７…第２バネ、１９…ケース取付け部、２０…バネ収納部、２１…ベース部材の蓋体、２２…窓部、２３…環状部分、２４…周壁部分、２５…係止部、２６…ベース部材のケースカバー、３２…第１ロータ、３２ａ…ツク、３２ｂ，５２ｂ…切欠部、３３…ダイヤル部材、３３ａ…ダイヤル本体、３３ｂ…ダイヤルカバー、３５…第１係合部、３７，３８，３９…駆動側部材の嵌合孔、４０…識別標識、４１…変換標識、４３…小窓部、４４…区画爪片、４５…第１被係合部、４６…凹所、４７…中心軸、４８…付勢バネ、５１…回転子側部材、５２…第２ロータ、５３…摘み回転子、５３ａ…ツクと係合可能な被係合部、５３ｂ…摘み部分、５４…大径部分、５５…大径部分の凹所、５６…抜け止め部材、５７…中空嵌合部、５８…第２係合部、５９…第２被係合部、６０…収納部、Ｍ１…駆動側部材の印、Ｍ２…回転子側の印。
【図１】
2006274691.tif 000003
【図２】
2006274691.tif 000004
【図３】
2006274691.tif 000005
【図４】
2006274691.tif 000006
【図５】
2006274691.tif 000007
【図６】
2006274691.tif 000008
【図７】
2006274691.tif 000009
【図８】
2006274691.tif 000010
【図９】
2006274691.tif 000011
【図１０】
2006274691.tif 000012
【図１１】
2006274691.tif 000013